(57)【要約】【課題】チェーンやケーブル等の線状体へ安定的に取り付けられてその視認性を高めることができる標示体を提供する。【解決手段】視認性を高める標示部と、両端が開口する筒形状に形成した本体部を備え、この本体部の内側へ線状体を挿通させてこの線状体へ取り付けられるように設け、前記本体部に筒壁を貫通する２個１組の透孔を形成し、各透孔に１本の固定バンドを挿通させる。前記固定バンドを前記線状体及び前記各貫通孔間に位置する前記本体部の当接筒壁を巻回させて緊縛させ、前記線状体へ前記当接筒壁の内側面を当接させて取り付けるように設ける。前記固定バンドが前記各透孔を挿通するので、前記固定バンドの緊縛が緩むなどの問題が生じた場合でも、前記本体部の前記線状体からの離脱を抑制できる。【選択図】        図４
2014201911.tif 000002
【特許請求の範囲】
【請求項１】
チェーンやケーブル等の線状体へ取り付けられて用いられる標示体であって、
視認性を高める標示部と、両端が開口する筒形状に形成された本体部を備え、該本体部の内側へ前記線状体を挿通させて該線状体へ取り付けられるようになされており、
前記本体部には該本体部の筒壁を貫通する透孔が形成され、該透孔は相対するように２個１組に形成されて１本の固定バンドが各透孔を挿通可能に設けられており、
前記各透孔に挿通する輪状の前記固定バンドが前記線状体及び前記各透孔間に位置する前記本体部の当接筒壁を巻回して緊縛し、
前記線状体へ前記当接筒壁の内側面を当接させて取り付け可能に設けられていることを特徴とする標示体。
【請求項２】
前記透孔は、線状体へ前記当接筒壁の内側面を当接させた状態において、
前記当接筒壁側の前記各透孔の縁を結ぶ直線が前記線状体を通過するように形成されると共に、
前記当接筒壁と逆側の筒壁側の前記各透孔の縁を結ぶ直線が前記線状体と前記筒壁との間に設けられた隙間を通過するように形成されていることを特徴とする請求項１に記載の標示体。
【請求項３】
前記本体部の筒壁には外側面と内側面とに通じる切欠部が前記本体部の全長に亘って直線状に形成されており、前記切欠部は当接筒壁と逆側の筒壁に形成されていることを特徴とする請求項１又は２に記載の標示体。
【請求項４】
前記２個１組の各透孔が、前記本体部の両端付近にそれぞれ１組づつ形成されていることを特徴とする請求項３に記載の標示体。
【発明の詳細な説明】
【技術分野】
【０００１】
本発明は、チェーンやケーブルなどの線状体に取り付けられて、その視認性を高める標示体に関するものである。
【背景技術】
【０００２】
道路に設置されたガードケーブルなどの線状体は、ガードレールや安全柵などと比較してその視認性が悪く、その存在が把握しにくい傾向がある。このため、線状体に塗装を施すなどの方法が従来より用いられ、また、その視認性を高めるための種々の発明が開示されている。
【０００３】
例えば、特許文献１には、反射体取付用金具に備えられた反射体取付部に再帰反射性を有する反射体が設けられ、該反射体取付用金具がガードケーブルの索条に取り付けられていることを特徴とするガードケーブルへの反射体取付構造が本出願人によって開示されている。
【先行技術文献】
【特許文献】
【０００４】
【特許文献１】特開２００８−１８００２２号公報
【発明の概要】
【発明が解決しようとする課題】
【０００５】
特許文献１には、ガードケーブルの索条へ取り付ける反射体取付用金具を介して反射体を取り付ける種々の構成が開示されているが、本件はこれとは異なる構成によりケーブル等の線状体へ取り付け可能な標示体を提供するものである。
【課題を解決するための手段】
【０００６】
上記目的を達成するため、本発明は以下のような構成としている。
すなわち本発明に係る標示体は、チェーンやケーブル等の線状体へ取り付けられて用いられる標示体であって、
視認性を高める標示部と、両端が開口する筒形状に形成された本体部を備え、該本体部の内側へ前記線状体を挿通させて該線状体へ取り付けられるようになされており、
前記本体部には該本体部の筒壁を貫通する透孔が形成され、該透孔は相対するように２個１組に形成されて１本の固定バンドが各透孔を挿通可能に設けられており、
前記各貫通孔に挿通する輪状の前記固定バンドが前記線状体及び前記各貫通孔間に位置する前記本体部の当接筒壁を巻回して緊縛し、
前記線状体へ前記当接筒壁の内側面を当接させて取り付け可能に設けられていることを特徴としている。
【０００７】
本発明に係る標示体によれば、視認性を高める標示部を備え、両端が開口する筒形状に形成させた本体部の内側へガードケーブルなどの線状体を挿通させてこの線状体へ取り付けられので、前記線状体へ安定的に取り付けてその視認性を高めることができる。
また、前記本体部の筒壁を貫通する透孔を形成させ、この透孔を２個１組でそれぞれ相対するように形成させて１本の固定バンドを各透孔に挿通可能に設け、前記各透孔に挿通する輪状の前記固定バンドを前記線状体及び前記各透孔間に位置する当接筒壁を巻回させて緊縛させ、前記線状体へ前記当接筒壁の内側面を当接させて取り付け可能に設けるので、緊縛させる前記固定バンドにより前記当接筒壁と前記線状体とが強固に当接され、前記本体部の位置ずれが生じにくくなされる。
また、前記線状体及び前記当接筒壁を巻回する前記固定バンドが前記各透孔を挿通するので、前記固定バンドの緊縛が緩むなどの問題が生じた場合でも、前記本体部の前記線状体からの離脱を抑制できる。
【０００８】
また、線状体へ前記当接筒壁の内側面を当接させた状態において、
前記当接筒壁側の前記各透孔の縁を結ぶ直線が前記線状体を通過するように形成させれば、前記線状体及び当接筒壁に巻回する前記固定バンドが前記線状体へより接触しやすくなされ、前記本体部を前記線状体へより強固に取り付けることができるので、好ましい。また、前記本体部を硬質な材料で形成させ、前記固定バンドの緊縛による前記当接筒壁の変形が小さな場合でも、前記本体部を前記線状体へより強固に取り付けることができる。
また、前記当接筒壁と逆側の筒壁側の前記各透孔の縁を結ぶ直線が前記線状体と前記筒壁との間に設けられた隙間を通過するように形成させれば、前記固定バンドを各透孔へ挿通させる作業を容易に行うことができるので、好ましい。
【０００９】
また、前記本体部の筒壁に外側面と内側面とに通じる切欠部を前記本体部の全長に亘って直線状に形成させれば、前記線状体の両端がそれぞれ固定されている場合でも、前記切欠部を通過させて前記線状体を本体部の内側へ挿通させ、前記線状体へ前記本体部を容易に取り付けることができるので、好ましい。
また、前記切欠部を当接筒壁と逆側の筒壁に形成させれば、前記固定バンドを緊縛させ前記当接筒壁と線状体とを当接させた状態において、前記切欠部における前記本体部の変形が生じにくくなされ、前記本体部が前記線状体へより安定的に取り付けることができるので、好ましい。
【００１０】
また、前記２個１組の各透孔を、前記本体部の両端付近にそれぞれ１組づつ形成させれば、前記本体部の両端付近の当接筒壁が前記線状体に当接されて固定されるようになされるので、前記線状体に弛みが生じた場合でも、前記本体部の内側における線状体の弛みが生じにくくなされ、前記線状体が前記切欠部から本体部の外側へはみ出るような問題が生じにくくなされるので、好ましい。
【発明の効果】
【００１１】
本発明に係る標示体によれば、チェーンやケーブル等の線状体へ安定的に取り付けられてその視認性を高めることができる。
【図面の簡単な説明】
【００１２】
【図１】本発明に係る標示体の実施の一形態を示す正面図である。
【図２】図１の側面図である。
【図３】図１の標示体を線状体へ取り付けた状況を示す図である。
【図４】図３の標示体の端付近を拡大させた図である。
【図５】図４のＡ−Ａ断面図である。
【発明を実施するための形態】
【００１３】
本発明の実施の形態を図面に基づき具体的に説明する。
図面において、１は標示体である。
本実施形態の標示体１は両端が開口する円筒形状の本体部１１を備え、具体的には、本体部１１を構成する筒壁１２の下方に切欠部１２を形成させたＣの字形状の断面に形成させている。
図１、２において、前記標示体１は長手方向を横方向に向けて配置され、前記切欠部１３は前記標示体１の図中下側に配置されている。前記切欠部１３は前記標示体１の長手方向に沿う直線状に形成させており、前記標示体１の全長に亘って１個形成させている。
本実施形態の本体部１１は、合成樹脂製であり、具体的にはポリエチレン樹脂で形成させている。
【００１４】
本体部１１の外周面には、標示部１８を形成させている。
標示部１８は、本体部１１の筒壁１２の外周面に設けられ、具体的には、筒壁１２の外周面に貼着させた反射シート（図示せず）により本体部１１の外面全体に形成させている。
前記標示部１８は、照射された光を光源方向へ向けて平行に反射させる光の再帰反射性を備えた反射シートにより形成させ、帯状の反射シートを前記筒壁１２の外周面へ巻回して貼着させて設けている。
前記標示部１８は、白色の反射シートにより形成する標示部１８ａと赤色の反射シートにより形成する標示部１８ｂとを備え、前記標示部１８ａと標示部１８ｂとが、前記本体部１１の長手方向に沿って交互に配置されて設けられている。
【００１５】
前記標示体１には、筒壁１２を貫通する円形の透孔１４を形成させている。
前記透孔１４は、図中において、前記筒壁１２の前面側と後面側とに１個づつ、２個１組に形成させており、前記本体部１１の両端付近にそれぞれ１組づつ、合計２組４個形成させている。
即ち、前記筒壁１２の中心と前記各透孔１４の中心とを結ぶ線Ｘが、前記筒壁１２の中心と前記切欠部１３の中央とを結ぶ線Ｙに対して垂直に配置されるように設けている。
【００１６】
図３は図１の標示体１を線状体５へ取り付けた状況を示す図である。
本実施形態の線状体５は道路に沿って設置されるガードケーブルであり、金属製のワイヤーロープで形成されている。
ガードケーブルである線状体５は、並設する支柱Ｓの間に架け渡されるように設置されるものであり、図３は設置された線状体５の端を示すものである。
図３に示す線状体５は、上下方向に５本配置させて設置させており、支柱Ｓを介して図中左方向へ延設させている。また前記各線状体５は、図中右側の端を設置面Ｇに埋設させた基礎（図示せず）に接続させて固定している。
図３において、前記標示体１は、前記５本の線状体５のうち最も上に配置させた線状体５に２個取り付けて、設置させている。
【００１７】
図４は図３の標示体１の端付近を拡大させた図であり、図５は図４のＡ−Ａ断面図である。
本実施形態の標示体１は、円筒形状の筒壁１２の内側へ線状体５を挿入させ、前記各透孔１４に挿通させた固定バンド３を線状体５と筒壁１２とに巻回させ緊縛させて、前記線状体５に取り付けられている。
【００１８】
前記標示体１を線状体５へ取り付ける方法は、最初に本体部１の筒壁１２に力を加えて歪ませ、切欠部１３を幅広の状態にする。
次に、この切欠部１３に線状体５を通過させて、前記線状体５を本体部１の内側の中空部分へ挿入させて配置させる。
最後に、２個１組の各透孔１４に挿通させた固定バンド３を、前記線状体５と筒壁１２の上側部分とに巻回させて緊縛し、標示体１を線状体５へ取り付けている。
【００１９】
具体的には、前記線状体５は、前記筒壁１２において各透孔１４より上側に位置する当接筒壁１２ａの内側面に当接させ、前記各透孔１４に挿通させた前記固定バンド３の帯体３１を前記線状体５の下端と当接筒壁１２ａの外側面とに接するように巻回させて輪状に配置させている。この輪状の帯体３１を、当接筒壁１２ａの外側に配置させた固定バンド３の固定部３２によって強い力で締め付け、前記線状体５と当接筒壁１２ａとを緊縛させるように設けている。
【００２０】
本実施形態の標示体１は、図５において、本体部１１の前記各透孔１４の上縁１４ａが、本体部１１の内側に配置されて上方の前記当接筒壁１２ａに当接された前記線状体５の下端５ｂより上方に位置するように形成されており、詳細には、２個１組の各透孔１４のそれぞれの上縁１４ａを結ぶ線Ｘ１が前記線状体５の下端５ｂより上方に位置するように設けられている。
このように各透孔１４を形成することで、各透孔１４を挿通させて前記線状体５と当接筒壁１２ａとに巻回させる固定バンド３の帯体３１が、前記線状体５に直接接触して巻回して緊縛させるので、前記標示体１を前記線状体５へより強固に取り付けることができ、前記線状体５の長手方向へ前記標示体１が滑り位置ずれするなどの問題が生じにくくなされる。また、力を加えたときの変形の大きさが小さい硬質な材質で前記本体部１１を形成させた場合でも、前記固定バンド３の帯体３１が当接筒壁１２ａと線状体５とに確実に接触するので、標示体１を線状体５へ良好に取り付けることができる。
【００２１】
また、本実施形態の標示体１は、図５において、本体部１１の前記各透孔１４の下縁１４ｂが、本体部１１の内側に配置されて上方の前記当接筒壁１２ａに当接された前記線状体５の下端５ｂより下方に位置するように形成されており、詳細には、２個１組の各透孔１４のそれぞれの下縁１４ｂを結ぶ線Ｘ２が前記線状体５の下端５ｂより下方に位置するように設けられている。
このように各透孔１４を形成することで、本体部１１の内側に挿通させた前記線状体５を上側の当接筒壁１２ａへ当接させたときに、一方の透孔１１から他方の透孔１１へ直線的に通じる隙間が生じるので、固定バンド３の帯体３１を各透孔１１へ挿通させる作業がより容易に実施できるようになされる。
【００２２】
また、本実施形態の標示体１は、線状体５を通過させる切欠部１３を筒壁１２の図中下方に配置させて形成させている。即ち、前記切欠部１３は、前記各透孔１４に対し、前記線状体５を当接させて固定バンド３１で緊縛させる当接筒壁１２ａとは逆側の挿通筒壁１２ｂに形成されている。このように当接筒壁１２ａとは逆側の挿通筒壁１２ｂに切欠部１３を形成させることで、前記固定バンド３により前記当接筒壁１２ａと線状体５とを緊縛させたときに、切欠部１３を当接筒壁１２ａに形成させる場合と比較して、切欠部１３の幅の大きさが変動するような筒壁１２の変形が生じにくくなされる。このため、前記標示体１を線状体５へより安定的に取り付けて使用することができる。
【００２３】
また、本実施形態の標示体１は、本体部１１の両縁にそれぞれ透孔１４を形成させ、各透孔１４に挿通させた固定バンド３によって本体部１１の筒壁１２と線状体５とを緊縛させている。このため前記線状体５が緩むような状況が生じた場合でも、本体部１１の内側での線状体５の弛みが抑制され、線状体５が切欠部１３からはみ出るような問題が生じにくくなされる。
【００２４】
本実施形態の標示体１は、本体部１１を円筒形に形成させているが、これに限るものではなく、楕円形や多角形の筒状に形成させてもよい。
また、本実施形態の本体部１１は、ポリエチレン樹脂で形成させているが、これに限るものではなく、ポリプロピレン樹脂やポリカーボネート樹脂など、他の合成樹脂を用いても良く、金属など合成樹脂以外の材質を用いても良い。
【００２５】
本実施形態の固定バンド３は、帯体３１を備えたものであるが、これに限るものではなく、線状体５及び当接筒壁１２ａに巻回可能な他の構成のものを用いてもよい。例えば、帯状ではなく、紐形状のものを巻回させて前記線状体５及び当接筒壁１２ａを緊縛させても良い。
【００２６】
尚、本発明に係る標示体は、上記実施形態に限定されるものではなく、本発明の要旨を逸脱しない範囲で種々の変更が可能である。
【符号の説明】
【００２７】
１    標示体
１１  本体部
１２  筒壁
１２ａ  当接筒壁
１２ｂ  挿通筒壁
１３  切欠部
１４  透孔
１８  標示部
３    固定バンド
３１  固定部
３２  帯体
【図１】
2014201911.tif 000003
【図２】
2014201911.tif 000004
【図３】
2014201911.tif 000005
【図４】
2014201911.tif 000006
【図５】
2014201911.tif 000007